【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
長手方向の軸線に沿って延在し、且つ、第１の内部ボアと、雄型プラグを含む端部分とを有する雄型チューブフィッティングと、
前記雄型プラグを受容するように構成された第２の内部ボアを有する雌型チューブフィッティングと、
前記雄型チューブフィッティングの周りに配置され、前記長手方向の軸線に沿って第１の位置から第２の位置へ自由に摺動するように位置付けられたカラーであって、前記第１の位置では、前記雄型プラグが前記雌型チューブフィッティングの第２の内部ボア内に取外し可能に挿入可能であるように、前記雄型チューブフィッティングと前記雌型チューブフィッティングとが互いに対してロック解除され、前記第２の位置では、前記雄型プラグが前記雌型チューブフィッティングの第２の内部ボアから取り外されることが妨げられるように、前記雄型チューブフィッティングと前記雌型チューブフィッティングとが互いに対してロックされる、カラーと
を具備する、システム。
【請求項２】
前記カラーが、該カラーを前記長手方向の軸線に沿って前記第１の位置から前記第２の位置まで摺動可能に位置付けるべく変形する弾性変形可能な部分を含む、請求項１に記載のシステム。
【請求項３】
前記雄型チューブフィッティングが、前記カラーを前記第１の位置に選択的に保持する保持部材を含む、請求項２に記載のシステム。
【請求項４】
前記弾性変形可能な部分が、前記カラーを前記第１の位置に選択的に保持すべく前記保持部材と相互に作用するテーパー状リップを含む、請求項３に記載のシステム。
【請求項５】
前記弾性変形可能な部分がスリットを含み、該スリットは、前記テーパー状リップを遮断し、このことによって、該テーパー状リップが前記カラーを前記保持部材の選択的な保持部を越えて摺動させるように前記長手方向の軸線から外側に変形することを可能とする、請求項４に記載のシステム。
【請求項６】
前記カラーが、空間を画定するネジ山パターンを有する第３の内部ボアを含み、前記雄型チューブフィッティングが前記第３の内部ボアを通って配置される、請求項１に記載のシステム。
【請求項７】
前記雌型チューブフィッティングが、突起を含む外面を有し、
前記突起は、前記カラーが、前記第２の位置にあり、このことによって前記雄型チューブフィッティングの第１の内部ボアを前記雌型チューブフィッティングの第２の内部ボアとシール係合し且つロックするとき、前記空間に配置される、請求項６に記載のシステム。
【請求項８】
前記カラーが前記雄型チューブフィッティングに対して前記長手方向の軸線回りに回転可能である、請求項１に記載のシステム。
【請求項９】
長手方向の軸線に沿って延在する外面と、テーパー状端部分とを有する雄型チューブフィッティングであって、第１の内部ボアを含む雄型チューブフィッティングと、
前記テーパー状端部分を受容するように構成された第２の内部ボアと、突起を含む外面とを有する雌型チューブフィッティングと、
前記雄型チューブフィッティングの外面の周りに配置され、前記雄型チューブフィッティングに対して前記長手方向の軸線回りに回転可能なカラーであって、前記雌型チューブフィッティングの突起を取外し可能に受容するように構成された空間を画定するネジ山パターンを含む内面を有するネジ切りされた内部ボアを含むカラーと
を具備する、システムであって、
前記突起が前記空間内に位置付けられるとき、前記雄型チューブフィッティングに対する前記長手方向の軸線回りの前記カラーの回転によって、前記雄型チューブフィッティングの第１の内部ボアが前記雌型チューブフィッティングの第２の内部ボアとシール係合され且つロックされる、システム。
【請求項１０】
前記カラーが前記長手方向の軸線に沿って第１の位置から第２の位置まで位置付け可能であり、前記第１の位置では、前記テーパー状端部分が前記雌型チューブフィッティングの第２の内部ボア内に取外し可能に挿入可能であるように、前記雄型チューブフィッティングと前記雌型チューブフィッティングとが互いに対してロック解除され、前記第２の位置では、前記テーパー状端部分が前記雌型チューブフィッティングの第２の内部ボアから取り外されることが妨げられるように、前記雄型チューブフィッティングと前記雌型チューブフィッティングとが互いに対してロックされる、請求項９に記載のシステム。
【請求項１１】
前記雄型チューブフィッティングの外面が近位保持部材と遠位保持部材とを含み、前記近位保持部材が前記カラーを前記第１の位置に選択的に保持し、前記遠位保持部材が前記カラーを前記第２の位置に選択的に保持する、請求項１０に記載のシステム。
【請求項１２】
前記カラーが、該カラーを前記近位保持部材及び遠位保持部材の選択的な保持部を越えて位置付けるべく変形する弾性変形可能な部分を含む、請求項１１に記載のシステム。
【請求項１３】
前記弾性変形可能な部分がテーパー状リップを含み、該テーパー状リップが、前記近位保持部材と相互に作用し、前記近位保持部材の選択的な保持部を越えて移動するように変形されるとき、前記長手方向の軸線から外側に撓む、請求項１２に記載のシステム。
【請求項１４】
前記近位保持部材が、前記雄型チューブフィッティングの外面の周囲の周りに延在する第１の瘤であり、前記遠位保持部材が、前記雄型チューブフィッティングの外面の周囲の周りに延在する第２の瘤である、請求項１２に記載のシステム。
【請求項１５】
前記ネジ山パターンが、前記ネジ切りされた内部ボアの内面上に周方向に配置され且つ前記空間を画定する一対の対向斜面を含む、請求項９に記載のシステム。
【請求項１６】
長手方向の軸線に沿って延在し且つ保持部材を含む外面を有する雄型チューブフィッティングであって、第１の内部ボアと、テーパー状端部分とを更に含む雄型チューブフィッティングと、
前記テーパー状端部分を受容するように構成された第２の内部ボアを有する雌型チューブフィッティングと、
前記雄型チューブフィッティングの外面の周りに配置され、前記長手方向の軸線に沿った第１の位置に前記保持部材によって選択的に保持されたカラーであって、前記長手方向の軸線に沿った第２の位置まで前記保持部材の選択的な保持部を越えて前記カラーを位置付けるべく変形する弾性変形可能な部分を含むカラーと
を具備する、システムであって、
前記第１の位置では、前記テーパー状端部分が前記雌型チューブフィッティングの第２の内部ボア内に取外し可能に挿入可能であるように、前記雄型チューブフィッティングと前記雌型チューブフィッティングとが互いに対してロック解除され、前記第２の位置では、前記テーパー状端部分が前記雌型チューブフィッティングの第２の内部ボアから取り外されることが妨げられるように、前記雄型チューブフィッティングと前記雌型チューブフィッティングとが互いに対してロックされる、システム。
【請求項１７】
前記弾性変形可能な部分が、前記カラーを前記第１の位置に選択可能に保持すべく前記保持部材と相互に作用するリップを含む、請求項１６に記載のシステム。
【請求項１８】
前記リップが、前記長手方向の軸線に沿って前記保持部材の選択的な保持部を越えて前記第２の位置まで前記カラーを位置付けるべく、前記長手方向の軸線から外側に離れるように変形する、請求項１７に記載のシステム。
【請求項１９】
前記雌型チューブフィッティングが、突起を含む外面を有し、
前記カラーが、一対の対向ネジ山を含む内面を有する内部ボアを有し、前記一対の対向ネジ山が、前記内面の周りに周方向に延在し、且つ、前記雌型チューブフィッティングの突起を取外し可能に受容するための空間を作り出し、
前記突起が前記空間内に位置付けられるとき、前記雄型チューブフィッティングに対する前記長手方向の軸線回りの前記カラーの回転によって、前記雄型チューブフィッティングの第１の内部ボアが前記雌型チューブフィッティングの第２の内部ボアとシール係合され且つロックされる、請求項１６に記載のシステム。
【請求項２０】
前記雄型チューブフィッティングは、前記カラーが前記第２の位置に選択的に保持されるように、前記テーパー状端部分に近接した第２の保持部材を含む、請求項１６に記載のシステム。